(57)【要約】【課題】電源供給が断たれた災害時においても長期間に亘って安全かつ新鮮な飲料水を精度良く供給可能であって、しかも簡易な構成であるためにメンテナンスフリーである機械式液体販売装置を提供する。【解決手段】一定額のコインが投入されることを条件として規定量の液体が吐出される機械式液体販売装置１であって、コインが投入されるコイン管理部１ａと、このコイン管理部１ａに隣接して配設される給水制御部１ｂと、を備え、コイン管理部１ａは、投入されたコインを移動させる操作に伴って給水制御部１ｂが規定量を設定するよう構成され、給水制御部１ｂは、その内部に液体の流路が設けられ、規定量の設定がされると流路に液体の流入が開始され、この流入した量が規定量に達すると液体の吐出が停止するよう構成される。【選択図】図１
0003180472.tif 000002
【実用新案登録請求の範囲】
【請求項１】
一定額のコインが投入されることを条件として規定量の液体が吐出される機械式液体販売装置であって、
前記コインが投入されるコイン管理部と、このコイン管理部に隣接して配設される給水制御部と、を備え、
前記コイン管理部は、投入された前記コインを移動させる操作に伴って前記給水制御部が前記規定量を設定するよう構成され、
前記給水制御部は、その内部に前記液体の流路が設けられ、前記規定量の設定がされると前記流路に前記液体の流入が開始され、この流入した量が前記規定量に達すると前記液体の吐出が停止するよう構成されることを特徴とする機械式液体販売装置。
【請求項２】
前記コイン管理部は、コイン投入口と、投入された前記コインを保持しつつ前記コインを所望の距離移動可能とする操作手段と、この操作手段が前記コインを保持する間に解除されて前記操作手段における前記コインの移動を可能とするロック手段と、前記操作手段と連動し，前記液体を吐出させるための力を前記給水制御部に対して伝達する伝達手段と、前記操作手段において前記コインが所望の距離移動した後にコインを収納するコイン収納部と、から成り、
前記給水制御部は、前記液体の流入口と、これに連通する吐出口と、前記流入口と前記吐出口の中間部に設けられる給水弁と、から成り、
前記給水弁は、流通する液体量を計測可能な測定手段と、前記規定量を設定することで弁体を開動作させるとともに、前記測定手段で計測される前記給水弁を流通する液体量が前記規定量に達すると前記弁体を閉動作させる規定量設定手段と、前記伝達手段からの力の伝達を受けて前記規定量設定手段の前記規定量の設定を可能とする入力手段と、を有することを特徴とする請求項１記載の機械式液体販売装置。
【請求項３】
前記操作手段は、回動させて前記コインを前記コイン投入口からコイン収納部まで移動させ、前記コイン収納部へ自由落下させて前記コインの保持を解除する回動部材であり、
前記伝達手段は、基端が前記回動部材に接続されるとともに，先端付近が前記入力手段へ当接可能な長さを有する当接部材であり、
前記規定量設定手段は、前記回動部材の回動軸と平行する軸を中心として前記規定量の設定時から前記規定量の液体の流通時まで所望の角度回動するダイヤルであり、
前記入力手段は、一端が前記ダイヤルの外周に固着され，前記回動部材の前記コインの保持中の回動に伴う前記当接部材の当接により，前記ダイヤルを前記所望の角度回動可能とする突出部材であることを特徴とする請求項２記載の機械式液体販売装置。
【考案の詳細な説明】
【技術分野】
【０００１】
本考案は、電源供給が不要な機械式液体販売装置に係り、特に、一定額のコインが投入されることを条件として規定量の液体が吐出される機械式液体販売装置に関する。
【背景技術】
【０００２】
従来、商業用電源からの電力の供給を受けて本体内部に収納された飲料水ボトルを取り出すことが可能な、飲料水の自動販売機が利用されてきた。しかし、電力供給がされている間に限って作動可能であるために、災害による停電時においては飲料水を取り出すことができないという課題があった。
これに対しては、電力供給が断たれると本体に設けられたロック機構が解除される技術や、バッテリーによって作動可能である技術が開発され、無料で飲料水を取り出すことが可能であった。しかしながら、このような技術においては、ほとんどの場合が本体内部に冷却手段等を備えていることから、収納可能な飲料水ボトルの本数に限界があり、大量の飲料水が長期的に必要となる災害時には飲料水が不足する可能性があった。そこで、近年、停電時においてもある程度の量の飲料水を取り出し可能な技術について研究や開発が行われており、それに関して既に発明が開示されている。
【０００３】
例えば、特許文献１には、「自動販売機及び当該自動販売機での販売方法並びにペットボトルの取り出し方法」という名称で、災害時において電源供給の有無にかかわらず作動する自動販売機及びその販売方法等に関する発明が開示されている。
特許文献１に開示された発明は、飲料水を充填したペットボトルの収容容量を確保するための冷却又は加熱のための温調手段を具備しない自動販売機であって、災害時には所定の操作によってフリーベンディング状態に移行し得る電源供給の有無に影響されないフリーベンディング切換手段を具備することを特徴とする。
このような構造によれば、温調手段を具備しないので非常時の貯留タンクとなる飲料用ストック容量を増やすことができる。また、電源が断たれない限りフリーベンディング状態に移行できないといった不便さがない。
【先行技術文献】
【特許文献】
【０００４】
【特許文献１】特開２００３−４４９１３号公報
【考案の概要】
【考案が解決しようとする課題】
【０００５】
特許文献１に開示された発明においては、従来技術と比較して飲料用ストック容量を増やすことができるもののやはり収容容量に限界があることから、災害によって長期に亘って補給経路が断たれた場合には、継続して飲料水を供給することが困難である。また、電気回路とその制御装置を備え、通常は電源供給を受ける自動販売機として利用されるものであるため、電気回路等を備えない機械式と比較して高価となる傾向にある。そのため、多くの台数を購入できない可能性があることから、多数の被災者が殺到する災害時には十分に飲料水の供給ができない可能性がある。
【０００６】
本考案は、このような従来の事情に対処してなされたものであり、電源供給が断たれた災害時においても長期間に亘って安全かつ新鮮な飲料水を精度良く供給可能であって、しかも簡易な構成であるためにメンテナンスフリーの可能性もある機械式液体販売装置を提供することを目的とする。
【課題を解決するための手段】
【０００７】
上記目的を達成するため、請求項１記載の考案は、一定額のコインが投入されることを条件として規定量の液体が吐出される機械式液体販売装置であって、コインが投入されるコイン管理部と、このコイン管理部に隣接して配設される給水制御部と、を備え、コイン管理部は、投入されたコインを移動させる操作に伴って給水制御部が規定量を設定するよう構成され、給水制御部は、その内部に液体の流路が設けられ、規定量の設定がされると流路に液体の流入が開始され、この流入した量が規定量に達すると液体の吐出が停止するよう構成されることを特徴とする。
このような構造の機械式液体販売装置においては、例えば圧力によって位置等が変位する検出ピン等を利用することで、投入されたコインを感知する。このとき、変位は機械的に給水制御部へ伝達され、例えば給水制御部における流量設定ダイヤルが規定量を示して設定されるという作用を有する。
なお、給水制御部の流路の上流側は例えば水道管や貯水タンクに連結され、下流側は例えば貯留容器へと導入されており、流量設定ダイヤルが規定量を示す動作以外には流路が開通されない構造となっている。そのため、規定量の設定と同時に水道水は貯留容器に吐出され始める。また、給水制御部は流入量が設定した量に達すると流路を閉塞する構造となっているため、規定量に達するとこの吐出が自動的に停止されるという作用を有する。このように、本請求項の機械式液体販売装置は、電気信号等を利用するものでなく、純粋に機械的動作を行うものである。
【０００８】
また、請求項２記載の考案は、請求項１記載の機械式液体販売装置において、コイン管理部は、コイン投入口と、投入されたコインを保持しつつコインを所望の距離移動可能とする操作手段と、この操作手段がコインを保持する間に解除されて操作手段におけるコインの移動を可能とするロック手段と、操作手段と連動し，液体を吐出させるための力を給水制御部に対して伝達する伝達手段と、操作手段においてコインが所望の距離移動した後にコインを収納するコイン収納部と、から成り、給水制御部は、液体の流入口と、これに連通する吐出口と、流入口と吐出口の中間部に設けられる給水弁と、から成り、給水弁は、流通する液体量を計測可能な測定手段と、規定量を設定することで弁体を開動作させるとともに、測定手段で計測される給水弁を流通する液体量が規定量に達すると弁体を閉動作させる規定量設定手段と、伝達手段からの力の伝達を受けて規定量設定手段の規定量の設定を可能とする入力手段と、を有することを特徴とする。
このような構造の機械式液体販売装置においては、請求項１に記載の考案の作用に加えて、コインが投入されても何らの操作がされない場合、そのままコイン投入口に保持される。コインが保持されるとロック手段が解除され、コインが移動可能な状態となる。次に利用者が操作手段を用いて指定された操作を行うことにより、実際にコインの移動が開始され、所望の距離移動した後にコイン収納部へと収納される。なお、例えば操作手段が回動軸を有するハンドルである場合には、指定される操作とはこのハンドルを回動させる等の操作をいう。また、伝達手段は、操作手段と連動することから回動動作等が給水制御部に対して伝達され、給水制御部はこの回動動作等を起因として液体の吐出を開始するという作用を有する。
より詳細には、給水制御部においては、規定量設定手段が設けられ、この規定量設定手段には例えば液体の流通量を設定可能な設定目盛が設けられる。そのため、上記回動動作等によって入力手段が力を受けると、規定量が設定されて給水弁を閉塞している弁体の位置変化等によって流路が開通され、流入口から吐出口へ液体が流通する。また、流入口と吐出口の中間部には流通する液体量の測定手段が設けられていることから、この測定結果が規定量に達した場合には規定量設定手段によって弁体が再び給水弁を閉塞する位置へ戻され、液体の流通が停止される。なお、測定手段は例えば羽根車式流量計であって、羽根車の回転数の積算値が規定量設定手段の設定目盛と関連づけられている構造である。
【０００９】
また、請求項３記載の考案は、請求項２記載の機械式液体販売装置において、操作手段は、回動させてコインをコイン投入口からコイン収納部まで移動させ、コイン収納部へ自由落下させてコインの保持を解除する回動部材であり、伝達手段は、基端が回動部材に接続されるとともに，先端付近が入力手段へ当接可能な長さを有する当接部材であり、規定量設定手段は、回動部材の回動軸と平行する軸を中心として規定量の設定時から規定量の液体の流通時まで所望の角度回動するダイヤルであり、入力手段は、一端がダイヤルの外周に固着され，回動部材のコインの保持中の回動に伴う当接部材の当接により，ダイヤルを所望の角度回動可能とする突出部材であることを特徴とする。
このような構造の機械式液体販売装置においては、請求項２に記載の考案の作用に加えて、回動部材が回動すると、当接部材の先端付近が突出部材に当接し、ダイヤルが回動する。また、ダイヤルにおいて、「規定量の設定時から規定量の液体の流通時まで所望の角度回動する」とは、回動する角度は規定量と比例関係にあることを意味しており、これを一種類に限定することで規定量が常に一定となる。
【考案の効果】
【００１０】
以上説明したように、本考案の請求項１記載の機械式液体販売装置は、コイン管理部と、給水制御部と、から構成され、非常に簡易な構造である。従って、メンテナンスフリーであるとともに安価であるため、大量数を一度に導入しても維持負担又は費用負担がさほど肥大するものではない。また、コインの投入後、これを移動させることのみにより液体を取り出すことが可能なことから、操作も極めて容易であって、あらゆる年代の人々が利用することができる。さらに、純粋に機械的動作を行う構造であるため、電源供給の有無に関わらず使用することが可能である。加えて、給水制御部の流路を例えば水道管に連結することにより、長期間に亘って安全かつ新鮮な飲料水を多人数の利用者に供給することができるので、災害時における使用に最適である。なお、この流路に飲料水ボトルを連結することが可能であり、水道設備が整っていない場合においても使用することができる。また、もちろん平常時においても使用可能である。
【００１１】
本考案の請求項２記載の機械式液体販売装置によれば、請求項１記載の考案の効果に加えて、コインが保持されるとロック手段が解除され、操作手段及び伝達手段により給水制御部は液体の吐出を開始することから、必要な対価を支払った場合にのみ液体を取り出すことができる。さらに、液体は流通量が規定量に達するとその流通が停止されるため、常に一定量の液体を精度良く取り出すことが可能である。よって、無料での連続的な吐出が行われないことから、多人数の利用者に公平に水道水等が行き渡ると同時に、水資源の節約に資することができる。
【００１２】
本考案の請求項３記載の機械式液体販売装置によれば、請求項２記載の考案の効果に加えて、回動部材が回動すると、当接部材の先端付近が突出部材に当接しダイヤルが回動するという一貫した機械的な動作をすることから、確実に液体を吐出させるための力をダイヤルに伝達することができる。また、この経路においては、例えば電気的に接点が移動して動力を伝達するといった機構が存在しないので、多少の雨水の侵入に対しても動作不良が発生せず、故障の頻度がより少ない構造と言える。従って、特に強固な防水構造が必要とされないため、屋外に設置した場合であっても、低い維持費にて長期間安定的に使用することができる。
【図面の簡単な説明】
【００１３】
【図１】（ａ）及び（ｂ）は、それぞれ本考案の実施の形態に係る機械式液体販売装置の正面図及び外観斜視図である。
【図２】は、図１（ｂ）におけるＡ−Ａ線矢視図である。
【図３】（ａ）及び（ｂ）は、図１（ｂ）におけるＢ−Ｂ線矢視断面図である。
【考案を実施するための形態】
【実施例】
【００１４】
本考案の実施の形態に係る実施例１の機械式液体販売装置について、図１乃至図３を用いて詳細に説明する。なお、図１で示した構成要素については、図２又は図３においても同一の符号を付して、その説明を省略する。
図１（ａ）及び図１（ｂ）は、それぞれ本考案の実施の形態に係る機械式液体販売装置の正面図及び外観斜視図である。
【００１５】
図１（ａ）及び図１（ｂ）に示すように、本実施例の機械式液体販売装置１は、コイン管理部１ａと、給水制御部１ｂと、から構成される。このうち、図１（ａ）に示すように、コイン管理部１ａは、前面２の上端寄りに開口するコイン投入口３と、その下方に回動軸４を中心として回動する回動ハンドル５と、が設けられる。また、前面２の後方には、給水制御部１ｂの一部を成す水道水等の流入口６及びこれに連通する吐出口７が配設される。なお、吐出口７の下方には販売される水道水等の購入者が水道水等を受けるための貯蔵容器が設置される（図示せず）。
次に、図１（ｂ）に示すように、コイン管理部１ａは、コイン投入口３及び回動ハンドル５の他に、前面２の裏面にコイン投入口３から投入されたコインを収納するコイン収納部８と、回動軸４に連結され，略Ｌ字形状に屈曲された当接体１１と、から構成される。当接体１１の材質は特に限定されないが、変形や破損を防止するため金属製が望ましい。
コイン投入口３は、前壁２ａとの間にコインの厚さ程度に離れた間隙を備え、この間隙にコインを投入する。回動軸４の回動ハンドル５に接続された側とは反対の端部には、円盤状の回動盤１０が接続され、当接体１１の一端はこの回動盤１０に固着されている。
【００１６】
次に、給水制御部１ｂは、定量止水栓９と、流入口６と、吐出口７と、から構成される。定量止水栓９の内部に設けられる流入口６と吐出口７の途中には、弁座１２が設けられ、球状のボール弁体１３が設置される。ボール弁体１３が弁座１２の中央部に位置する場合は閉塞状態にあって、液体が流入口６より流入されない。
また、流入口６と吐出口７に隣接してダイヤル１４が配置される。このダイヤル１４は、回動軸４と平行する軸を中心とする正逆の回動運動が可能であり、その外周には流入口６からの流入量を反映する流量目盛１５が表示される。なお、流量目盛１５には始点表示１５ａ（図２参照）がなされ、規定量の設定前には流量目盛１５の０点がこれに一致している。
流入口６からの流入を開始する場合は、例えばダイヤル１４を正方向に回動させて所望する規定量に設定し、その後は自動的に逆方向に回動して吐出口７からの吐出が持続する構造である。この構造の詳細については、図３において後述する。
さらに、ダイヤル１４の回動盤１０寄りの外周には、１８０度間隔で２枚の突出体１６ａ，１６ｂが突出する。突出体１６ａ，１６ｂの材質は特に限定されないが、変形や破損を防止するため金属製が望ましい。突出体１６ａ，１６ｂが水平位置にあるとき、前述の規定量は未設定であって吐出口７からの液体が吐出されない。
【００１７】
次に、図２を用いて、コイン管理部１ａの構造について詳細に説明する。図２は、図１（ｂ）におけるＡ−Ａ線矢視図である。
図２に示すように、コイン投入口３には、回動軸４に支持されて所望の一定厚さと径を有するコインを保持する保持枠１７が設けられる。保持枠１７の下枠には押下げピン１８が貫通し、その下端はロック部材１９の一端へ当接している。押下げピン１８の上端と保持枠１７の下枠との間にはコイルバネ２０が設けられる。また、ロック部材１９は、前壁２ａへ回動可能に取り付けられている支持軸１９ａを挟んで押下げピン１８が当接する一端とは反対端に係止部１９ｂが備えられる。
また、回動軸４には、係止部１９ｂが嵌合可能な切欠部２１ａを有するギヤ２１が取り付けられている。これらの押下げピン１８と、ロック部材１９と、ギヤ２１とは、同一面上に設けられる。従って、コインがコイン投入口３に保持されると、その圧力でコイルバネ２０が収縮して押下げピン１８が押し下げられる。すると、係止部１９ｂが切欠部２１ａから外れて回動ハンドル５の図中矢印方向への回動が解除され、当接体１１が同方向へ回動可能な構造となっている。なお、ギヤ２１の外周に一辺が曲線を成す略三角形状のラッチ２１ｂが設けられていることから、このラッチ２１ｂが逆転防止装置となって、係止部１９ｂがこの部分に当接している場合には押下げピン１８の位置に関わらず図中矢印方向への回動が可能であるが、逆方向には回動できない構造となっている。
なお、コインは保持枠１７に保持されて押下げピン１８を押し下げた後であれば、そのままコイン収納部８に落下させるようにしてもよいし、あるいは回動ハンドル５の操作に伴う回動でコイン収納部８に収納するようにしてもよい。
【００１８】
次に、図３を用いて、定量止水栓９の構造について詳細に説明する。図３（ａ）及び図３（ｂ）は、図１（ｂ）におけるＢ−Ｂ線矢視断面図であって、それぞれ流路の閉塞時及び開通時における弁体の位置を示している。
図３（ａ）に示すように、流入口６と吐出口７の間の流路２２に通過孔１２ａを有する弁座１２と、ボール弁体１３と、が設けられる。この高さにおける流路２２には、押出ピン２３の先端が貫通している。
また、ダイヤル１４には、流路２２と対向する面に凹部２４ａが設けられている。凹部２４ａは円形状の溝部の一部であって、凹部２４ａの深さが最も深くなっており、これ以外の溝部においてはより浅いものとなっている。押出ピン２３は、凹部２４ａに押出バネ２５によって格納されている。このとき、ダイヤル１４は前述した規定量を設定する前の停止した状態にある。また、ボール弁体１３に押出ピン２３が当接せず、ボール弁体１３は弁座１２の中央部にあって流路２２を閉塞している。
さらに、弁座１２の下方には、流入口６からの水道水等の圧力によって回転する羽根車２６が設けられる。羽根車２６は水道水等の流量に応じて回転し、流量目盛１５（図１（ｂ）参照）は羽根車２６の回転数の積算値と比例関係にあるため、流量目盛１５を規定量に設定することは所望する流量を設定することを意味する。なお、図３（ａ）の状態では、流量目盛１５の０点は始点表示１５ａの位置に合致している。
また、凹部２４ａの下方には回動軸２８ａ，２８ｂを介して接続される４枚のギヤ２７ａ〜２７ｄが設けられる。ギヤ２７ａ〜２７ｄはそれぞれの径の大きさに反比例する回動速度をもたらすことから、ギヤ２７ｄの回動速度は羽根車２６の回転速度よりも大幅に低下したものとなる。そして、ギヤ２７ｄはダイヤル１４を回動させる回動軸２９に取り付けられているので、羽根車２６の回転がダイヤル１４を回動させる起因となる。
【００１９】
図３（ｂ）に示すように、ダイヤル１４が回動に伴って浅くなった凹部２４ｂに押出ピン２３が押されて押出バネ２５が圧縮するとともに、押出ピン２３の先端が流路２２の内部へ突出する。このとき、ボール弁体１３に押出ピン２３が当接し、ボール弁体１３は弁座１２の中央部から外れて流路２２を開通させる。
また、ダイヤル１４は規定量が設定され回動している状態にあるが、具体的には、流量目盛１５の規定量が始点表示１５ａの位置に合致しており、ダイヤル１４の回動によって、始点表示１５ａの位置における流量目盛１５が少しずつ減り、流量が規定量に達した場合には、図３（ａ）で説明したとおり、始点表示１５ａの位置には流量目盛１５の０点が合致することになる。
【００２０】
このような構造の機械式液体販売装置１においては、コイン投入口３に所望の一定厚さと径を有するコインが投入されることで、ロック部材１９による回動軸４の不動状態が解除される。その後、回動ハンドル５を図２中の矢印方向へ回動させることによって回動軸４が回動し、これに伴い回動盤１０及び当接体１１も回動する。この当接体１１が回動する途中で水平位置にある突出体１６ａに当接し、突出体１６ａ，１６ｂが同方向へ回動する。突出体１６ａが回動する角度の大きさは、ダイヤル１４において設定される規定量に相当する。なお、当接体１１が突出体１６ａに当接した後は、回動ハンドル５を続けて回動させることで当接体１１の先端が突出体１６ａと離れるので、当接体１１は当初の位置に戻ることができる。
続いて、突出体１６ａ，１６ｂの回動によって規定量が設定されると同時に、ダイヤル１４の押出ピン２３がボール弁体１３を押し出し、液体が弁座１２の通過孔１２ａを流下する。液体が吐出口７へ流下する途中で羽根車２６を回転させ、規定量設定とは逆方向にダイヤル１４を回動させる。この回動は押出ピン２３が凹部２４ａに格納されるまで継続され、規定量の液体の吐出が完了することとなる。
【００２１】
以上説明したように、本実施例の機械式液体販売装置１によれば、コイン投入後に回動ハンドル５を回動させると、その後は自動的に液体を吐出口７より取り出すことができる。１回のコイン投入につき流入量が計測されるため、正確な量の液体を購入することが可能である。また、必要な操作は、コイン投入と回動ハンドル５を回動させるのみであることから、非常に容易である。にもかかわらず、回動ハンドル５の回動は確実にダイヤル１４の回動を導くことが可能であるため、コインを投入したものの液体が吐出しないといった不具合の発生を防止することができる。さらに、定量止水栓９によって吐出は自動的に停止することから、流入口６に水道管が接続されている場合であっても連続的な流出を抑制できるので、水道水の無駄使いを回避することが可能である。
加えて、機械式液体販売装置１はコイン管理部１ａ及び給水制御部１ｂから構成され、これらはそれぞれ一般的な部材によって簡易に構成されている。よって、容易かつ安価な製造が可能であるため、災害時の給水用として大量に購入し易くなる。特に、機械式液体販売装置１は、全て機械式動作により液体を取り出し可能であるので、電源設備が不備の場所でも使用することができる。そのため、広範囲に設置可能となり多くの人々が利用することができるとともに、速やかな設置が可能である。また、流入口６を水道管に連結することにより、長期間に亘って安全かつ新鮮な飲料水を多人数の利用者に供給することができるので、例えば有害物質が混入された井戸水を使用できない場合等に有効である。なお、流入口６に飲料水ボトルを連結することが可能であり、水道設備が整っていない場合においても使用することができる。
さらに、機械式液体販売装置１は、電気的に作動する機構が存在しないために故障の頻度がより少なく、メンテナンスフリーに近い状態で安定的に使用することが可能である。
以上のことから、機械式液体販売装置１は、平常時はもちろんのこと電気が届いていない場所や災害時における水道水等の液体供給に最適である。
【００２２】
なお、本考案の機械式液体販売装置は電力を消費しない機械式の構造であれば本実施例に示す構造に限定されない。例えば、回動ハンドル５の回動解除構造は、図２に示された以外のものでも良い。また、定量止水栓９の構造も図３に示された以外のものでも良い。
【産業上の利用可能性】
【００２３】
請求項１乃至請求項３に記載された考案は、平常時や特に災害時において、コインを投入することにより飲料水等を取り出し可能な機械式液体販売装置として適用可能である。
【符号の説明】
【００２４】
１…機械式液体販売装置  １ａ…コイン管理部  １ｂ…給水制御部  ２…前面  ２ａ…前壁  ３…コイン投入口  ４，２８ａ，２８ｂ，２９…回動軸  ５…回動ハンドル  ６…流入口  ７…吐出口  ８…コイン収納部  ９…定量止水栓  １０…回動盤  １１…当接体  １２…弁座  １２ａ…通過孔  １３…ボール弁体  １４…ダイヤル  １５…流量目盛  １５ａ…始点表示  １６ａ，１６ｂ…突出体  １７…保持枠  １８…押下げピン  １９…ロック部材  １９ａ…支持軸  １９ｂ…係止部  ２０…コイルバネ  ２１，２７ａ〜２７ｄ…ギヤ  ２１ａ…切欠部  ２１ｂ…ラッチ  ２２…流路  ２３…押出ピン  ２４ａ，２４ｂ…凹部  ２５…押出バネ  ２６…羽根車
【図１】
0003180472.tif 000003
【図２】
0003180472.tif 000004
【図３】
0003180472.tif 000005